(57)【要約】【課題】原稿においてマーキングペンでのマークやカラーペンでの加筆がされた箇所がある重要ページが印刷された用紙をユーザに簡単に識別させる。【解決手段】印刷装置１は、原稿の画像を読み取る画像読取部２と、画像読取部２で読み取った原稿の画像データに基づいてページごとに重要ページであるか否かを判定する判定部３１と、画像読取部２で読み取った原稿の画像を印刷媒体に印刷する印刷部５と、重要ページが印刷された印刷媒体に付箋を貼付する付箋供給部６とを備える。【選択図】図１
2011133526.tif 000002
【特許請求の範囲】
【請求項１】
原稿の画像を読み取る画像読取部と、
前記画像読取部で読み取った原稿の画像データに基づいてページごとに重要ページであるか否かを判定する判定部と、
前記画像読取部で読み取った原稿の画像を印刷媒体に印刷する印刷部と、
前記重要ページが印刷された印刷媒体に識別体を載置する識別体供給部と
を備えることを特徴とする印刷装置。
【請求項２】
前記判定部は、モノクロ原稿として読み取った原稿の画像データにおいて、所定数以上のカラー画素が含まれるページを前記重要ページと判定することを特徴とする請求項１に記載の印刷装置。
【請求項３】
前記判定部は、原稿の画像データにおいて所定の色相のカラー画素で囲まれる所定の大きさ以上の領域を有するページを前記重要ページと判定することを特徴とする請求項１に記載の印刷装置。
【請求項４】
前記識別体は、印刷媒体に対する接着性を有する接着部を有し、
前記識別体供給部は、前記識別体を印刷媒体に接着することを特徴とする請求項１乃至３のいずれか１項に記載の印刷装置。
【発明の詳細な説明】
【技術分野】
【０００１】
本発明は、用紙等に印刷を行う印刷装置に関する。
【背景技術】
【０００２】
一般に、印刷装置においてコピー機能により印刷を行う場合、原稿の画像をスキャナで読み取って印刷を行う（例えば、特許文献１参照）。
【０００３】
ユーザは、マーキングペン（蛍光ペン等）でマークをしたり、赤ペン等のカラーペンで加筆したりしたページを含む原稿を、スキャナで読み取らせてコピーすることがある。そして、このような原稿をコピーしたときに、マークや加筆された箇所があるページが印刷された用紙を重要ページとして識別したい場合がある。
【先行技術文献】
【特許文献】
【０００４】
【特許文献１】特開２００４−３５７０１０号公報
【発明の概要】
【発明が解決しようとする課題】
【０００５】
複数ページの原稿をコピーした場合、原稿に上記のようにマークや加筆された箇所がある重要ページが含まれていても、他のページの印刷物とともに排紙台上に積載されるため、ユーザは重要ページが印刷された用紙を簡単に識別することができなかった。
【０００６】
本発明は上記に鑑みてなされたもので、原稿においてマーキングペンでのマークやカラーペンでの加筆がされた箇所がある重要ページが印刷された用紙をユーザに簡単に識別させることができる印刷装置を提供することを目的とする。
【課題を解決するための手段】
【０００７】
上記目的を達成するため、本発明に係る印刷装置の第１の特徴は、原稿の画像を読み取る画像読取部と、前記画像読取部で読み取った原稿の画像データに基づいてページごとに重要ページであるか否かを判定する判定部と、前記画像読取部で読み取った原稿の画像を印刷媒体に印刷する印刷部と、前記重要ページが印刷された印刷媒体に識別体を載置する識別体供給部とを備えることにある。
【０００８】
本発明に係る印刷装置の第２の特徴は、前記判定部は、モノクロ原稿として読み取った原稿の画像データにおいて、所定数以上のカラー画素が含まれるページを前記重要ページと判定することにある。
【０００９】
本発明に係る印刷装置の第３の特徴は、前記判定部は、原稿の画像データにおいて所定の色相のカラー画素で囲まれる所定の大きさ以上の領域を有するページを前記重要ページと判定することにある。
【００１０】
本発明に係る印刷装置の第４の特徴は、前記識別体は、印刷媒体に対する接着性を有する接着部を有し、前記識別体供給部は、前記識別体を印刷媒体に接着することにある。
【発明の効果】
【００１１】
本発明に係る印刷装置の第１の特徴によれば、原稿においてマーキングペンでのマークやカラーペンでの加筆がされた箇所がある重要ページが印刷された用紙をユーザに簡単に識別させることができる。
【００１２】
本発明に係る印刷装置の第２の特徴によれば、モノクロ原稿として読み取った原稿においてマーキングペンでのマークやカラーペンでの加筆がされた箇所があるページを重要ページと判定することができる。
【００１３】
本発明に係る印刷装置の第３の特徴によれば、所定の色相のマーキングペンでマークされた領域を有するページを重要ページと判定することができる。
【００１４】
本発明に係る印刷装置の第４の特徴によれば、識別体の脱落を防止することができる。
【図面の簡単な説明】
【００１５】
【図１】本発明の実施の形態に係る印刷装置の構成を示すブロック図である。
【図２】本発明の実施の形態に係る印刷装置の外観図である。
【図３】付箋供給部の概略構成図である。
【図４】用紙に付箋が貼付された状態を示す図である。
【図５】画素の彩度および色相角の算出方法の説明図である。
【発明を実施するための形態】
【００１６】
以下、本発明の実施の形態について、図面を参照して説明する。以下の図面の記載においては、同一または類似の部分には同一または類似の符号を付している。以下に示す実施の形態は、この発明の技術的思想を具体化するための装置や方法を例示するものであって、この発明の技術的思想は、構成部品の構造、配置等を下記のものに特定するものではない。
【００１７】
図１は、本発明の実施の形態に係る印刷装置の構成を示すブロック図である。図１に示すように本実施の形態に係る印刷装置１は、画像読取部２と、画像処理部３と、操作入力部４と、印刷部５と、付箋供給部６と、制御部７とを備える。
【００１８】
画像読取部２は、ＣＣＤ（Charge Coupled Device）イメージセンサを有し、原稿を光学的に読み取り、読み取った原稿の画像データを出力する。
【００１９】
画像処理部３は、画像読取部２で読み取って得られたＲ（赤）、Ｇ（緑）、Ｂ（青）の画像データを、Ｃ（シアン）、Ｍ（マゼンタ）、Ｙ（イエロー）、Ｋ（ブラック）の画像データに変換するとともに、印刷部５が解釈可能なデータに変換する処理等を行う。
【００２０】
また、画像処理部３は、読み取った原稿の画像データにおける各ページが重要ページであるか否かを判定する判定部３１を有する。本実施の形態では、ユーザがマーキングペン（蛍光ペン等）でマークをしたり、赤ペン等のカラーペンで加筆したりしたページを重要ページとする。判定部３１は、画像データにおける各画素がカラー画素であるか否かを判定し、この判定結果を用いて、各ページが重要ページであるか否かを判定する。
【００２１】
操作入力部４は、各種操作キーと、タッチパネル（いずれも図示せず）とを備え、ユーザの操作を受け付け、ユーザ操作に基づく操作信号を制御部７に出力する。
【００２２】
印刷部５は、インクジェット方式等の印刷機構を有し、印刷媒体である用紙に画像を形成する。
【００２３】
付箋供給部６は、図２に示すように、印刷装置１の印刷物が積載される排紙部８に設けられ、重要ページが印刷された用紙をユーザに識別させるための識別体としての付箋を供給する。
【００２４】
図３は、付箋供給部６の概略構成図である。図３に示すように、付箋供給部６は、ロール状に巻かれたテープ６１を引き出して搬送する一対のローラ６２を備える。テープ６１は、図示下側の面（下面）に、加熱により軟化して用紙に対する接着性を生じる接着剤の層（図示せず）を有する。接着剤としては、用紙に接着しても、その後容易に剥がすことができ、しかも用紙側に接着剤が残らないようなものを用いることが好ましい。
【００２５】
ローラ６２に対してテープ６１の搬送方向の下流側には、テープ６１下面の一部を加熱してテープ６１に接着部を形成する加熱部６３と、テープ６１を切断するカッター部６４とが設けられている。加熱部６３は、図示しない駆動機構によりテープ６１に対して接離可能に構成されている。
【００２６】
カッター部６４は、移動刃６４ａと、移動刃６４ａに対向して設けられた固定刃６４ｂと、移動刃６４ａを移動させるカッターソレノイドＳＬＡとを有する。カッター部６４は、所定長さのテープ６１の搬送が終了すると、カッターソレノイドＳＬＡに接続された移動刃６４ａを駆動してテープ６１を切断し、接着部が形成された所定長さのテープ６１からなる付箋６１ａを形成する。付箋６１ａは排紙部８の排紙台上に排出された、重要ページが印刷された用紙Ｐ上に載置される。
【００２７】
カッター部６４に対してテープ６１の搬送方向の下流側には、付箋６１ａを用紙Ｐに接着させるためのローラ６５が設けられている。ローラ６５は、図示しない駆動機構により用紙Ｐの紙面に対する垂直方向および平行方向に移動可能に構成されており、付箋６１ａを用紙Ｐに押圧して接着させる。これにより、図４に示すように、用紙Ｐに付箋６１ａが貼付される。付箋６１ａは用紙Ｐに接着されているので容易には脱落しない。
【００２８】
制御部７は、ＣＰＵ（Central Processing Unit）、ＣＰＵの制御プログラム等を格納するメモリ（いずれも図示せず）等から構成され、ＣＰＵが制御プログラムに応じた処理を行うことによって、印刷装置１全体の動作を制御するものである。
【００２９】
印刷装置１では、ユーザが操作入力部４を操作することにより、原稿においてマーキングペンでのマークやカラーペンでの加筆がされているページである重要ページを印刷した用紙に付箋を貼付するように設定することができる。この付箋貼付設定においては、ユーザが画像読取部２に読み取らせてコピーしようとする読み取り対象の原稿がモノクロ原稿であるかカラー原稿であるかを予め指定しておく。なお、このモノクロ／カラー原稿の指定とは別に、読み取った原稿をモノクロ印刷するかカラー印刷するかを設定することができる。
【００３０】
以下、重要ページに付箋を貼付する設定であるときの印刷装置１の動作を説明する。
【００３１】
画像読取部２は、原稿を読み取り画像データを出力する。画像処理部３は、画像読取部２から入力されるＲ，Ｇ，Ｂの画像データをＣ，Ｍ，Ｙ，Ｋの画像データに変換するとともに、印刷部５で解釈可能なデータに変換する処理等を行う。なお、モノクロ印刷設定がされている場合は、画像処理部３は、Ｒ，Ｇ，Ｂの画像データをＫのみの画像データに変換する。
【００３２】
また、画像処理部３は、判定部３１において、各ページが重要ページであるか否かの判定を行う。
【００３３】
ここで、ユーザにより読み取り対象の原稿がモノクロ原稿と指定されている場合、判定部３１は、画像データにおける各画素がカラー画素であるか否かを判定し、所定数以上のカラー画素が含まれるページを重要ページと判定する。
【００３４】
カラー画素の判定方法の一例を説明する。判定部３１は、所定の処理が施されたＲ，Ｇ，Ｂの画像データをＹ，Ｃｂ，Ｃｒのデータに変換し、ＹＣｂＣｒ空間のＣｂＣｒ平面においてプロットした画素を示す点と、ＣｂＣｒ平面の原点との間の距離を、画素の彩度として算出する。なお、Ｙは輝度値、Ｃｂ，Ｃｒは色差値である。
【００３５】
図５に示すような、Ｃｂ値がＣｂ１、Ｃｒ値がＣｒ１である画素Ａの彩度Ｓは、以下の（数式１）で算出される。
【００３６】
Ｓ＝（Ｃｒ１２＋Ｃｂ１２）１／２      …（数式１）
判定部３１は、上記（数式１）により算出した彩度Ｓが、予め設定された閾値Ｓ１より大きい画素をカラー画素と判定する。
【００３７】
そして、判定部３１は、１ページ内に予め設定された所定数以上のカラー画素が含まれるページを重要ページと判定する。このようにして、モノクロ原稿として読み取った原稿においてマーキングペンでのマークやカラーペンでの加筆がされた箇所があるページを重要ページと判定することができる。
【００３８】
一方、ユーザにより読み取り対象の原稿がカラー原稿と指定されている場合、判定部３１は、画像データにおける各画素がカラー画素であるか否かを判定するとともに、各カラー画素の色相を求め、所定の色相のカラー画素で囲まれる所定の大きさ以上の領域を有するページを重要ページと判定する。
【００３９】
この場合、判定部３１は、上述したモノクロ原稿指定の場合と同様の方法により各画素がカラー画素であるか否かを判定する。また、判定部３１は、ＣｂＣｒ平面における画素を示す点とＣｂＣｒ平面の原点とを結ぶ線と、Ｃｂ軸とのなす角を、画素の色相角として算出する。図５の画素Ａの色相角θは、以下の（数式２）で算出される。
【００４０】
θ＝ｔａｎ−１（Ｃｒ１／Ｃｂ１）    …（数式２）
なお、図５に示すＣｂＣｒ平面において各色相Ｒ，Ｇ，Ｂ，Ｃ，Ｍ，Ｙは色相角により分けられ、それぞれの色相角範囲は予め決められたものである。例えば、Ｒ：２０°〜７０°、Ｙ：７０°〜１１０°、Ｇ：１１０°〜１９０°、Ｃ：１９０°〜２４０°、Ｂ：２４０°〜３３０°、Ｍ：３３０°〜２０°である。
【００４１】
判定部３１は、カラー画素の判定結果および色相角の算出結果に基づいて、予め設定された所定の色相（例えばＹ）に属するカラー画素で囲まれる所定の大きさ以上の領域を有するページを重要ページと判定する。このようにして、所定の色相のマーキングペンでマークされた領域を有するページを重要ページと判定することができる。
【００４２】
なお、モノクロ原稿指定の場合でも、上記カラー原稿指定の場合と同様に、所定の色相のカラー画素で囲まれる所定の大きさ以上の領域を有するページを重要ページと判定するようにしてもよい。以上が重要ページの判定方法の説明である。
【００４３】
制御部７は、画像処理部３から入力される画像データに基づき、印刷を行うよう印刷部５を制御する。この際、制御部７は、判定部３１により重要ページと判定されたページを印刷すると、印刷処理を一時的に中断し、付箋供給部６を制御して重要ページが印刷された用紙Ｐに付箋６１ａを貼付する。
【００４４】
上記説明のように本実施の形態によれば、画像読取部２で読み取った原稿の各ページが、マーキングペンでのマークやカラーペンでの加筆がある重要ページであるか否かを判定し、重要ページが印刷された用紙Ｐに付箋６１ａを貼付するので、ユーザは、排紙台上に積載された印刷物の中から、重要ページが印刷された用紙Ｐを簡単に識別することができる。
【００４５】
なお、本実施の形態では、付箋供給部６において接着部を有する付箋６１ａを用紙Ｐに貼付したが、識別体は用紙Ｐに接着する形態に限らず、例えば、接着部のないテープを識別体として重要ページが印刷された用紙Ｐ上に載置するようにしてもよい。
【００４６】
また、本実施の形態では、Ｒ，Ｇ，Ｂの画像データをＹ，Ｃｂ，Ｃｒのデータに変換し、これを用いて各画素の彩度Ｓおよび色相角θを算出する例を示したが、Ｙ，Ｃｂ，Ｃｒのデータのかわりに、Ｌ＊ａ＊ｂ＊表示系のＬ，ａ＊，ｂ＊のデータに変換し、これを用いて各画素の彩度Ｓおよび色相角θを算出するようにしてもよい。
【００４７】
また、本実施の形態では、印刷装置１に付箋供給部６が設けられている形態を示したが、印刷装置１に接続されるフィニッシャ装置に本実施の形態の付箋供給部６を設け、このフィニッシャ装置の付箋供給部６を用いて付箋６１ａを供給するようにしてもよい。また、本実施の形態の付箋供給部６と同様の機能を有する独立した付箋供給装置を印刷装置１に接続し、この付箋供給装置を用いて付箋６１ａを供給するようにしてもよい。
【符号の説明】
【００４８】
１  印刷装置
２  画像読取部
３  画像処理部
４  操作入力部
５  印刷部
６  付箋供給部
７  制御部
８  排紙部
６１  テープ
６１ａ  付箋
６２  ローラ
６３  加熱部
６４  カッター部
６５  ローラ
Ｐ  用紙
【図１】
2011133526.tif 000003
【図２】
2011133526.tif 000004
【図３】
2011133526.tif 000005
【図４】
2011133526.tif 000006
【図５】
2011133526.tif 000007